(57)【要約】【課題】分電盤の取り付けを容易にすることができる配線ダクトを提供する。【解決手段】配線ダクト１は、前面及び上下側面を開口して天井４に当接する上側当接部２ｃと分電盤５の背面ベース５ａの上端部が当接する下側当接部２ｄとが水平となるように形成した略コ字状のベース２と、ベース２の上下側面を除く開口部を閉塞する略コ字状のカバー３とで略筒状に形成して成り、ベース２の上側当接部２ｃを天井面４に当接させるとともにベース２の背面を壁面９に当接させてベース２を壁面９に取り付け、分電盤５の取付時にベース２の下側当接部２ｄに分電盤５の上端部を当接させて取り付ける。【選択図】図４
2007129888.tif 000002
【特許請求の範囲】
【請求項１】
上面に電線挿通孔が形成されて壁面に固定される分電盤と電線挿通孔が形成された天井との間に設けられ、前記両電線挿通孔を挿通して前記天井裏から前記分電盤に配線される電線を隠蔽するために少なくとも前面及び上下側面を開口して壁面に取り付けられるベースと、該ベースの上下側面を除く開口部を閉塞するカバーとで略筒状に形成して成る配線ダクトにおいて、前記ベースは前記天井に当接する上側当接部と前記分電盤の上端部が当接する下側当接部とが水平となるように形成し、前記ベースの上側当接部を天井面に当接させるとともに前記ベースの背面を前記壁面に当接させて前記ベースを前記壁面に取り付け、前記分電盤の取付時に前記ベースの下側当接部に前記分電盤の上端部を当接させて取り付けるようにしたことを特徴とする配線ダクト。
【請求項２】
前記ベースの下側当接部と前記分電盤の上端部に位置決め手段を設けたことを特徴とする請求項１に記載の配線ダクト。
【請求項３】
上面に電線挿通孔が形成されて壁面に固定される分電盤と電線挿通孔が形成された天井との間に設けられ、前記両電線挿通孔を挿通して前記天井裏から前記分電盤に配線される電線を隠蔽するために少なくとも前面及び上下側面を開口して壁面に取り付けられるベースと、該ベースの上下側面を除く開口部を閉塞するカバーとで略筒状に形成して成る配線ダクトにおいて、前記カバーの下端部の少なくとも一部を前記分電盤の前面カバーで覆うようにしたことを特徴とする配線ダクト。
【請求項４】
上面に電線挿通孔が形成されて壁面に固定される分電盤と電線挿通孔が形成された天井との間に設けられ、前記両電線挿通孔を挿通して前記天井裏から前記分電盤に配線される電線を隠蔽するために少なくとも前面及び上下側面を開口して壁面に取り付けられるベースと、該ベースの上下側面を除く開口部を閉塞するカバーとで略筒状に形成して成る配線ダクトにおいて、左右側面形状を前記分電盤の左右側面と略面一となるように略同一形状に形成したことを特徴とする配線ダクト。
【請求項５】
上面に電線挿通孔が形成されて壁面に固定される分電盤と電線挿通孔が形成された天井との間に設けられ、前記両電線挿通孔を挿通して前記天井裏から前記分電盤に配線される電線を隠蔽するために少なくとも前面及び上下側面を開口して壁面に取り付けられるベースと、該ベースの上下側面を除く開口部を閉塞するカバーとで略筒状に形成して成る配線ダクトにおいて、左右側面の後端縁に前記壁面に貼着される壁紙の端縁部が挿入可能な凹部を形成したことを特徴とする配線ダクト。
【請求項６】
上面に電線挿通孔が形成されて壁面に固定される分電盤と電線挿通孔が形成された天井との間に設けられ、前記両電線挿通孔を挿通して前記天井裏から前記分電盤に配線される電線を隠蔽するために少なくとも前面及び上下側面を開口して壁面に取り付けられるベースと、該ベースの上下側面を除く開口部を閉塞するカバーとで略筒状に形成して成る配線ダクトにおいて、前記天井裏と前記分電盤間を流れる空気を遮断するように前記ベースと前記カバーの内側に軟質材料から成る遮断部材を設けたことを特徴とする配線ダクト。
【請求項７】
前記遮断部材は前記ベースの内側に貼着されるベース側遮断部材と、該ベース側遮断部材と対向して前記カバーの内側に貼着されるカバー側遮断部材とで形成し、前記ベース側遮断部材と前記カバー側遮断部材の接触面に前記電線を挿通させることを特徴とする請求項６に記載の配線ダクト。
【請求項８】
前記ベース側遮断部材と前記カバー側遮断部材の接触面の垂直方向に前記電線を挿通する複数のスリットを形成したことを特徴とする請求項７に記載の配線ダクト。
【請求項９】
前記遮断部材を前記ベースと前記カバーの内側の一部の水平方向に設けたことを特徴とする請求項６乃至請求項８の何れかに記載の配線ダクト。
【請求項１０】
前記遮断部材は上下方向に間隔を設けて複数列に配列したことを特徴とする請求項９に記載の配線ダクト。
【発明の詳細な説明】
【技術分野】
【０００１】
本発明は、壁面に固定される分電盤と天井との間に設けられる配線ダクトに関する。
【背景技術】
【０００２】
一般に分電盤は、壁面に固定する際に主幹ブレーカや分岐ブレーカなどの内機が配設された背面ベースの上部中央を壁面に螺着して仮固定し、水平器により水平を出してから背面ベースの４隅を壁面に螺着して固定したり、背面ベースの４隅のうち１箇所を壁面に緩く螺着して仮固定し、水平器により水平を出してから４隅を壁面に完全に螺着して固定している。また、壁面に固定された分電盤と天井との間に略筒状の配線ダクトを設け、天井裏から配線ダクト内を通して分電盤に配線する場合は、壁と天井に孔を形成して配線ダクトを嵌め込んで躯体に螺着固定した後、上述の施工方法により分電盤を壁面に取付固定していた。また、配線ダクトの幅寸法は分電盤の幅寸法より小さく形成され、配線ダクトと分電盤の左右位置を合わせるための位置決め手段はなかった。また、配線ダクトの電線挿通部は開放されていた（例えば、特許文献１参照）。
【０００３】
【特許文献１】特許第３２７９３８６号公報
【発明の開示】
【発明が解決しようとする課題】
【０００４】
従来の配線ダクトは上端部が天井板に貫通して取り付けられるので左右に傾いて取り付けられる可能性があり、配線ダクトを固定する際に配線ダクトの水平を出す必要があった。また、分電盤の水平も出す必要があり、左右方向の位置合わせが難しく施工に手間がかかっていた。また、壁面に孔を開けるので施工に手間がかかるとともに壁面の強度が低下するという欠点があった。また、通常、壁紙は分電盤と配線ダクトが取り付けられた後に貼られることがあるが、分電盤と配線ダクトの幅寸法が異なるため、左右両側面に段差ができて壁紙が貼りづらいという欠点があった。また、配線ダクトの電線挿通部が開放されていて部屋と天井裏間に空気が流れるので部屋の気密性を確保できなかった。気密性を高めるためには分電盤の蓋と前面カバーの隙間や分電盤の背面と壁面の隙間など分電盤を細部に亘って塞がなければならず、簡単に気密性を高めることができなかった。而も、配線ダクトの電線挿通部を通して天井裏の塵埃が分電盤内に配設されたブレーカの端子部へ堆積するという問題があった。
【課題を解決するための手段】
【０００５】
本発明は、請求項１に記載の発明によれば、上面に電線挿通孔が形成されて壁面に固定される分電盤と電線挿通孔が形成された天井との間に設けられ、両電線挿通孔を挿通して天井裏から分電盤に配線される電線を隠蔽するために少なくとも前面及び上下側面を開口して壁面に取り付けられるベースと、ベースの上下側面を除く開口部を閉塞するカバーとで略筒状に形成して成る配線ダクトにおいて、ベースは天井に当接する上側当接部と分電盤の上端部が当接する下側当接部とが水平となるように形成し、ベースの上側当接部を天井面に当接させるとともにベースの背面を壁面に当接させてベースを壁面に取り付け、分電盤の取付時にベースの下側当接部に分電盤の上端部を当接させて取り付けるようにしたことを特徴とする。
【０００６】
請求項２に記載の発明によれば、請求項１に記載の配線ダクトにおいて、ベースの下側当接部と分電盤の上端部に位置決め手段を設けたことを特徴とする。
【０００７】
請求項３に記載の発明によれば、上面に電線挿通孔が形成されて壁面に固定される分電盤と電線挿通孔が形成された天井との間に設けられ、両電線挿通孔を挿通して天井裏から分電盤に配線される電線を隠蔽するために少なくとも前面及び上下側面を開口して壁面に取り付けられるベースと、ベースの上下側面を除く開口部を閉塞するカバーとで略筒状に形成して成る配線ダクトにおいて、カバーの下端部の少なくとも一部を分電盤の前面カバーで覆うようにしたことを特徴とする。
【０００８】
請求項４に記載の発明によれば、上面に電線挿通孔が形成されて壁面に固定される分電盤と電線挿通孔が形成された天井との間に設けられ、両電線挿通孔を挿通して天井裏から分電盤に配線される電線を隠蔽するために少なくとも前面及び上下側面を開口して壁面に取り付けられるベースと、ベースの上下側面を除く開口部を閉塞するカバーとで略筒状に形成して成る配線ダクトにおいて、左右側面形状を分電盤の左右側面と略面一となるように略同一形状に形成したことを特徴とする。
【０００９】
請求項５に記載の発明によれば、上面に電線挿通孔が形成されて壁面に固定される分電盤と電線挿通孔が形成された天井との間に設けられ、両電線挿通孔を挿通して天井裏から分電盤に配線される電線を隠蔽するために少なくとも前面及び上下側面を開口して壁面に取り付けられるベースと、ベースの上下側面を除く開口部を閉塞するカバーとで略筒状に形成して成る配線ダクトにおいて、左右側面の後端縁に壁面に貼着される壁紙の端縁部が挿入可能な凹部を形成したことを特徴とする。
【００１０】
請求項６に記載の発明によれば、上面に電線挿通孔が形成されて壁面に固定される分電盤と電線挿通孔が形成された天井との間に設けられ、両電線挿通孔を挿通して天井裏から分電盤に配線される電線を隠蔽するために少なくとも前面及び上下側面を開口して壁面に取り付けられるベースと、ベースの上下側面を除く開口部を閉塞するカバーとで略筒状に形成して成る配線ダクトにおいて、天井裏と分電盤間を流れる空気を遮断するようにベースとカバーの内側に軟質材料から成る遮断部材を設けたことを特徴とする。
【００１１】
請求項７に記載の発明によれば、請求項６に記載の配線ダクトにおいて、遮断部材はベースの内側に貼着されるベース側遮断部材と、ベース側遮断部材と対向してカバーの内側に貼着されるカバー側遮断部材とで形成し、ベース側遮断部材とカバー側遮断部材の接触面に電線を挿通させることを特徴とする。
【００１２】
請求項８に記載の発明によれば、請求項７に記載の配線ダクトにおいて、ベース側遮断部材とカバー側遮断部材の接触面の垂直方向に電線を挿通する複数のスリットを形成したことを特徴とする。
【００１３】
請求項９に記載の発明によれば、請求項６乃至請求項８の何れかに記載の配線ダクトにおいて、遮断部材をベースとカバーの内側の一部の水平方向に設けたことを特徴とする。
【００１４】
請求項１０に記載の発明によれば、請求項９に記載の配線ダクトにおいて、遮断部材は上下方向に間隔を設けて複数列に配列したことを特徴とする。
【発明の効果】
【００１５】
請求項１に記載の発明によれば、配線ダクト及び分電盤の取付時に容易に水平を出すことができるという効果がある。
【００１６】
請求項２に記載の発明によれば、請求項１に記載の発明の効果に加えて、分電盤の取付時に左右方向の位置決めが容易にできるという効果がある。
【００１７】
請求項３に記載の発明によれば、分電盤の前面カバーを外さなければ配線ダクトのカバーが外せないので、悪戯などで配線ダクトのカバーを外されるのを防止できるという効果がある。
【００１８】
請求項４に記載の発明によれば、配線ダクトと分電盤が外形が一体的となるので外観が向上するとともに、壁面に壁紙を貼る際に配線ダクトと分電盤との左右側面間に段差ができないので施工がしやすいという効果がある。
【００１９】
請求項５に記載の発明によれば、壁紙の端縁部の処理を隠蔽することができるので外観を向上することができるという効果がある。
【００２０】
請求項６に記載の発明によれば、分電盤に気密性を確保するための加工をすることなく、簡単な構造で部屋の気密性を確保することができるとともに、分電盤内に配設されたブレーカの端子部へ塵埃を堆積しづらくすることができるという効果がある。
【００２１】
請求項７に記載の発明によれば、請求項６に記載の発明に加えて、電線と遮断部材の密着性を高くすることができるので部屋の気密性を向上することができるという効果がある。
【００２２】
請求項８に記載の発明によれば、請求項７に記載の発明に加えて、電線を遮断部材で挟持した際に電線から遮断部材に加わる力が分散されるのでベース及びカバーに加わる力も減少してカバーの前板部の膨らみを防いで外観を損なわないようにするとともにベース及びカバーの破損を防止することができる。また、電線と遮断部材の密着性がより高くなり、配線ダクトに挿通される電線の本数が多い場合でも電線と遮断部材の密着性が損なわれにくいので部屋の気密性の低下を抑えることができるという効果がある。
【００２３】
請求項９に記載の発明によれば、請求項６乃至請求項８の何れかに記載の発明に加えて、少ない材料で部屋の気密性を確保することができるという効果がある。
【００２４】
請求項１０に記載の発明によれば、請求項９に記載の発明に加えて、部屋の気密性を更に向上することができるという効果がある。
【発明を実施するための最良の形態】
【００２５】
配線ダクトは、前面及び上下側面を開口して天井に当接する上側当接部と分電盤の背面ベースの上端部が当接する下側当接部とが水平となるように形成した略コ字状のベースと、ベースの上下側面を除く開口部を閉塞する略コ字状のカバーとで略筒状に形成して成り、ベースの上側当接部を天井面に当接させるとともにベースの背面を壁面に当接させてベースを壁面に取り付け、分電盤の取付時にベースの下側当接部に分電盤の上端部を当接させて取り付ける。
【実施例１】
【００２６】
本発明に係る配線ダクトの実施例１を図１〜図４の添付図面に基づいて説明する。
【００２７】
配線ダクト１は、前面及び上下側面を開口して矩形状の背板部２ａの左右両端縁に左右側板部２ｂが立ち上げられて略コ字状に形成され、建物の天井面４に当接する上側当接部２ｃと分電盤５の上端部が当接される下側当接部２ｄとが水平となるように形成されたベース２と、背面及び上下側面を開口して前板部３ａと左右側板部３ｂで略コ字状に形成されたカバー３とで略筒状に構成され、ベース２の左右側板部２ｂとカバー３の左右側板部３ｂとで構成される左右側面は、下側当接部２ｄに分電盤５を当接させた際に分電盤５の左右側面と略面一となるように略同一形状に形成されている。また、ベース２とカバー３の左右両端縁に互いに係脱可能な係合爪２ｅ，３ｅが形成されて、ベース２にカバー３が着脱できるようになっており、ベース２とカバー３の内側面の一部の水平方向にはスポンジなどの軟質材料により形成されたベース側遮断部材６とカバー側遮断部材７が上下方向に間隔を設けて２列に夫々貼着されてベース２とカバー３の取着時に配線ダクト１内を通って天井裏と分電盤５間に流れる空気を遮断するようになっている。また、ベース２は左右側板部２ｂの外面後端縁に連続する凹部２ｆが形成され、下側当接部２ｄの中間部分から分電盤５の背面ベース５ａに重なる固定片２ｇが延設されて分電盤５の仮固定孔５ｈに対向する位置に位置決め孔２ｈが形成されている。カバー３は前板部３ａの下端中間部分に張出部３ｇが延設されて分電盤５の前面カバー５ｂにより押さえられるように形成されている。
【００２８】
この配線ダクト１を壁面９に取り付ける前に、天井４と分電盤５に孔加工を行う。天井４は配線ダクト１の上面開口より小さい電線挿通孔４ａを形成し、分電盤５は配線ダクト１の固定片２ｇ及び張出部３ｇが挿通する形状に電線挿通孔５ｇを形成する。
【００２９】
そして配線ダクト１を取り付けるには、まず、ベース２とカバー３を分割し、天井４の電線挿通孔４ａに上面開口を合わせてベース２の上側当接部２ｃを天井面４に当接させるとともに背板部２ａを壁面９に当接させ、背板部２ａの取付孔２ｉに取付ネジ１０を挿通させてベース２を螺着固定する。そして、分電盤５をベース２の下側から壁面９に沿って突き上げ、分電盤５の上端部をベース２の下側当接部２ｄに当接させる。このとき、分電盤５の背面ベース５ａに配線ダクト１のベース２の固定片２ｇが重なるので、分電盤５を左右にずらして固定片２ｇの位置決め孔２ｈに分電盤５の仮固定孔５ｈの位置を一致させる。それから位置決め孔２ｈと仮固定孔５ｈにネジ１１を挿通させて壁面９に仮固定し、その後、分電盤５の４隅を固定ネジ１２により壁面９に螺着して完全に固定する。
【００３０】
分電盤５が固定できたら、天井４の電線挿通孔４ａから配線ダクト１のベース２上に電線８を引き込み、分電盤５の電線挿通孔５ｇに挿通させて配線を行う。配線が完了したら、配線ダクト１のベース２にカバー３を前面から嵌め、カバー３の係合爪３ｅをベース２の係合爪２ｅに係合させて取り付ける。カバー３が取り付けられると電線８はベース側遮断部材６とカバー側遮断部材７の接触面により挟持される。ベース側遮断部材６及びカバー側遮断部材７は軟質材料により形成しているので電線８の太さ及び形状に応じて変形して密着し、部屋の気密性が確保されるとともに、分電盤５に配設されたブレーカ１３の上側の端子部１３ａへ塵埃が堆積しづらくすることができる。また、ベース側遮断部材６とカバー側遮断部材７の接触面の垂直方向には所定間隔で複数のスリット６ａ，７ａが形成され、電線８を遮断部材６，７で挟持した際に遮断部材６，７に加わる力を分散してベース２及びカバー３に加わる力を減少させることによりカバー３の前板部３ａの膨らみを防いで外観を損なわないようにするとともに遮断部材６，７の圧迫によるベース２及びカバー３の破損を防止することができる。また、電線８と遮断部材６，７の密着性がより高くなり、配線ダクト１に挿通される電線８の本数が多い場合でも電線８と遮断部材６，７の密着性が損なわれにくいので部屋の気密性を低下を抑えることができる。
【００３１】
また、配線ダクト１のカバー３の張出部３ｇの前面を覆うようにして分電盤５の前面カバー５ｂを取り付ける。これにより、分電盤５の前面カバー５ｂが取り付けられた状態で配線ダクト１のカバー３を取り外そうとした場合に張出部３ｇが押さえられているので上部を手前に引くことになるが、左右側板部３ｂの上端が天井面４に引っ掛かるので分電盤５の前面カバー５ｂを取り外さない限りは外すことができない。
【００３２】
こうして配線ダクト１と分電盤５の取り付けが完了したら、最後に壁面９に壁紙１４を貼着する。このとき、壁紙１４の端縁部を配線ダクト１の凹部２ｆに挿入することにより、壁紙１４の端縁部の処理が乱雑であっても隠蔽することができるので外観を良くすることができる。また、分電盤５の左右側面と配線ダクト１の左右側面は略面一に形成されているので壁紙１４の施工が容易にできる。
【００３３】
尚、本実施例は請求項１〜請求項１０の全部を組み合わせて実施しているがこれに限定するものではなく、請求の範囲において単独又は適宜に組み合わせ、構造及び形状に種々の変更をして実施することも可能である。例えば、本実施例では遮断部材をベース２とカバー３の両側に設けているが、一方側だけに設けても良いし、また、遮断部材を２列に設けているが３列以上に設けたり、１列に設けたり、厚みを変えたり、配線ダクト内を満たすように全体に設けても良い。尚、本出願人が気密性の実験を行った結果を図５に示す。実験では配線ダクト及び分電盤に気密対策をしていないもの（ａ）と、配線ダクトに気密対策をせずに分電盤に気密対策をしたしたもの（ｂ）と、分電盤に気密対策をせずに配線ダクトに厚さ２０ｍｍのベース側遮断部材とカバー側遮断部材から成る遮断部材を１列に設けたもの（ｃ）と、分電盤に気密対策をせずに配線ダクトに厚さ２０ｍｍのベース側遮断部材とカバー側遮断部材から成る遮断部材を２列に設けたもの（ｄ）と、分電盤に気密対策をせずに配線ダクトにスリット入りの厚さ２０ｍｍのベース側遮断部材とカバー側遮断部材から成る遮断部材を２列に設けたもの（ｅ）を用意し、配線ダクトの分電盤側の開口と反対側の開口に箱を連結し、箱にファンと差圧計を取り付け、ファンを駆動させて箱内の空気を外部に排出した際の箱内の気圧と大気圧との差圧を配線ダクトに挿通する電線の本数を０本から２０本まで変えて差圧計により測定した。グラフの縦軸は差圧（Ｐａ）を示し、横軸は配線ダクトに挿通する電線の本数（本）を示している。気密性は差圧が高い方が良く、実験に使用した差圧計（豊田工機株式会社製ＡＡ６６００−Ｈ３００Ｄ）は箱が完全密閉された状態で１６２８Ｐａを計測した。実験の結果、配線ダクト及び分電盤に気密対策をしない場合（ａ）は電線の本数に関わらず４Ｐａであり、分電盤に気密対策をした場合（ｂ）は電線の本数に関わらず５４９Ｐａであり、また、遮断部材を１列に設けた場合（ｃ）は電線０本のとき１２４０Ｐａ、電線２０本のとき７４９Ｐａであり、遮断部材を２列に設けた場合（ｄ）は電線０本のとき１４９５Ｐａ、電線２０本のとき１０８０Ｐａであり、そして、スリット入り遮断部材を２列に設けた場合（ｅ）は電線０本のとき１４２０Ｐａ、電線２０本のとき１２１６Ｐａであった。これらの結果から分電盤に気密対策を行うよりも配線ダクトに遮断部材を設けて気密対策をした方が気密性が高いことがわかり、また、遮断部材の列数を増やした方が気密性が高く、スリットを設けることにより遮断部材の強度が低下するので電線が少ない場合はスリットなしに比べて気密性が少し低くなるが電線の本数が多い場合は気密性の低下が小さく、スリットなしに比べて気密性が高くなることがわかる。
【００３４】
また、本実施例では配線ダクト１のベース２とカバー３の両方に左右側板部２ｂ，３ｂが形成されているが、略筒状に形成されれば良いので、例えば、図６に示すようにベース２の左右側板部を無くしてカバー３の左右側板部３ｂを壁面９に当接するように延設して配線ダクト１を形成しても良い。この場合、カバー３の端縁部に壁紙１４を挿入するための凹部３ｆが形成されることとなる。
【００３５】
また、配線ダクト１と分電盤５の位置決め手段として分電盤５に仮固定孔５ｈを形成し、配線ダクト１に位置決め孔２ｈを形成し、両者の位置を合わせて位置決めを行うようにしたが、例えば、一方に凸部を形成し、他方に凹部を形成してこの凹部に凸部が嵌まるようにして位置決めしたり、分電盤と配線ダクトの両側に縦線の目印を付けて、両方の線が一致するようにして位置決めしても良い。
【００３６】
また、図７に示すように分電盤５の電線挿通孔５ｇは必要に応じて開口可能なノックアウト形状であっても良く、これに合わせて配線ダクト１の固定片２ｇ及び張出部を切除可能に所定間隔をおいて形成しても良い。
【図面の簡単な説明】
【００３７】
【図１】本発明に係る配線ダクトと分電盤を示す正面図である。
【図２】本発明に係る配線ダクトのベースに分電盤の背面ベースを取り付ける様子を示す正面図である。
【図３】本発明に係る配線ダクトに電線を挿通させた状態の横断面図である。
【図４】本発明に係る配線ダクトの使用状態を示す説明図である。
【図５】気密性の実験結果を表すグラフである。
【図６】本発明に係る配線ダクトの変形実施例を示す横断面図である。
【図７】本発明に係る配線ダクトの変形実施例を示す正面図である。
【符号の説明】
【００３８】
１    配線ダクト
２    ベース
２ａ    背板部
２ｂ    左右側板部
２ｃ    上側当接部
２ｄ    下側当接部
２ｅ    係合爪
２ｆ    凹部
２ｇ    固定片
２ｈ    位置決め孔
２ｉ    取付孔
３    カバー
３ａ    前板部
３ｂ    左右側板部
３ｅ    係合爪
３ｇ    張出部
４    天井
４ａ    電線挿通孔
５    分電盤
５ａ    背面ベース
５ｂ    前面カバー
５ｇ    電線挿通孔
５ｈ    仮固定孔
６    ベース側遮断部材
６ａ    スリット
７    カバー側遮断部材
７ａ    スリット
８    電線
９    壁
１０    取付ネジ
１１    ネジ
１２    固定ネジ
１３    ブレーカ
１３ａ    端子部
１４    壁紙
【図１】
2007129888.tif 000003
【図２】
2007129888.tif 000004
【図３】
2007129888.tif 000005
【図４】
2007129888.tif 000006
【図５】
2007129888.tif 000007
【図６】
2007129888.tif 000008
【図７】
2007129888.tif 000009